(57)【特許請求の範囲】
【請求項１】
左右の窓部と、左右の窓部間に設けて室外と室内を連通する通風部と、通風部の室外側で且つ窓部よりも室外側に突設して設けた外気取込部材とを備え、外気取込部材は、左右の一方側にのみ通風孔を有するものと他方側にのみ通風孔を有するものとがあり、外気取込部材の通風孔から外気を通風部に取込んで室内に導入することを特徴とする窓構造体。
【発明の詳細な説明】
【技術分野】
【０００１】
本発明は、カーテンウォールに関する。
【背景技術】
【０００２】
特許文献１には、左右の二重窓部間に室外側と室内側とに開口する通風路を設け、通風路に二重窓部の中間層に連通する連通孔を設けて、室外側開口から取込んだ外気を二重窓部の中間層及び室内に取込むカーテンウォール（ダブルスキンカーテンウォール）が開示されている。
この種のダブルスキンカーテンウォールは、例えば夏場には、二重窓部の中間層内の空気が太陽光で暖められて上昇気流となることで中間層の下側が負圧となる為、室外側開口から取込んだ外気は中間層に導入されて中間層の上部から外に排出することにより室内の温度上昇を抑制するものである。
特許文献２には、二重窓部の中間層の下部と上部が室内に連通してあり、カーテンウォールに設けた通風口から室内に外気を取込んで、室内の空気を二重窓部の中間層の下部から中間層に導入すること（エアフローカーテンウォール）が開示されている。
この種のエアフローカーテンウォールでは、例えば冬場には室内空気を下部から中間層に導入して太陽の熱で暖められた空気が中間層を上昇気流となって上昇した後に室内に戻して暖房効率を高めるようにしたものである。
特許文献３には、二重窓部間に二重窓部よりも室外側に突設して外気取込部材を設け、外気取込部材には左右の一側にのみ通風孔を設けることが開示されている。
【先行技術文献】
【特許文献】
【０００３】
【特許文献１】特開２００７−３２１５８号公報
【特許文献２】特開２００２−２５６６３７号公報
【特許文献３】意匠登録第１３２１７８６号公報
【発明の概要】
【発明が解決しようとする課題】
【０００４】
特許文献１及び２の技術では、風が左右から吹いている場合には外気を取込み難いという問題がある。
これに対して、特許文献３では外気取込部材を二重窓部よりも室外側に突設して設けているので左側又は右側から吹いてくる風を取込み易くできる。
しかし、特許文献３の技術では、隣合う二重窓部間に設けた外気取込部材はその通風孔を左右の同じ向きにしているので、風が左右の一方側から吹いている場合には取込み易いが、左右の他方側から風が吹いている場合には取込み難いという問題がある。
一方、外気取込部材の左右両側に通風孔を設けたのでは、左右一方側から受けた風が他方側に通過してしまい外気を取込むことが困難になる。
【０００５】
そこで、本発明は、ダブルスキンやエアフローカーテンウォールにおいて、左右の何れから風が吹いている場合にも外気を二重窓部の中間層や室内に容易に取込むことができるカーテンウォールの提供を目的とする。
【課題を解決するための手段】
【０００６】
請求項１に記載の発明は、左右の窓部と、左右の窓部間に設けて室外と室内を連通する通風部と、通風部の室外側で且つ窓部よりも室外側に突設して設けた外気取込部材とを備え、外気取込部材は、左右の一方側にのみ通風孔を有するものと他方側にのみ通風孔を有するものとがあり、外気取込部材の通風孔から外気を通風部に取込んで室内に導入することを特徴とする。
【発明の効果】
【０００７】
請求項１に記載の発明によれば、風が左右の何れから吹いている場合にも、外気取込部材の通風孔から外気を容易に取込んで室内に導入することができる。
【図面の簡単な説明】
【０００８】
【図１】第１実施の形態に係るカーテンウォールの図であり、（ａ）は室外側から見た正面図であり、（ｂ）は（ａ）のＦ―Ｆ断面図である。
【図２】図１（ａ）のＣ−Ｃ断面図である。
【図３】図１（ａ）のＥ−Ｅ断面図である。
【図４】図１（ａ）のＡ−Ａ断面図である。
【図５】図１（ａ）のＢ−Ｂ断面図である。
【図６】第２実施の形態に係るカーテンウォールの図であり、（ａ）は室外側から見た正面図であり、（ｂ）は（ａ）のＦ―Ｆ断面図である。
【図７】図６（ａ）のＲ−Ｒ断面図である。
【図８】図６（ａ）のＬ−Ｌ断面図である。
【図９】図６（ａ）のＰ−Ｐ断面図である。
【図１０】図６（ａ）のＭ−Ｍ断面図である。
【図１１】図６（ａ）のＮ−Ｎ断面図である。
【図１２】第３実施の形態に係るカーテンウォールの図であり、（ａ）は室外側から見た正面図であり、（ｂ）は（ａ）のＫ−Ｋ断面図である。
【図１３】図１２（ａ）のＧ−Ｇ断面図である。
【図１４】図１２（ａ）のＨ−Ｈ断面図である。
【図１５】図１２（ａ）のＪ−Ｊ断面図である。
【図１６】第１実施の形態に係るカーテンウォールの変形例を示すものであり、図１（ａ）のＣ−Ｃと同じ位置で切断して示す断面図である。
【発明を実施するための形態】
【０００９】
以下に、添付図面を参照して本発明の実施の形態を説明するが、先ず図１〜図５を参照して第１実施の形態について説明する。
図１（ａ）に示すように、本実施の形態に係るカーテンウォール１は、左右の二重窓部９と、左右の二重窓部間に設けた通風部１７と、通風部１７の室外側に設けた外気取込部材１９とを備えている。
図１（ｂ）に示すように、二重窓部９は、室外側パネル３と室内側パネル５との間に中間層７を有しており、室外側パネル３は透明パネルであり、ビルの一階部分に亘って設けてある。
図２及び図４に示すように、室内側パネル５は、一階部分の室内空間（床から天井までの空間）１３に対応する位置では開閉扉５ａであり、天井裏１５に対応する位置の室内側パネル５は固定した断熱ボード５ｂである。
図１に示すように、外気取込部材１９は、一階部分の縦方向全体に亘って長く設けてあり、隣合う二重窓部９、９間に配置される通風部１７に取付けてあり、二重窓部９よりも室外側に突設して設けている。
通風部１７は、室外側に開口１７ａを形成した方立であり、方立の左右に、室外側窓３と室内側パネル５とを取付けている。
図２に示すように、通風部１７の室内側には、開閉扉２１が設けてり、開閉扉２１を開くことにより、外気取込部材１９から取込んだ外気を室内に導入するようになっている。尚、開閉扉２１の室外側に設けているのはフィルタ２３と、風量調整部材２５である。風量調整部材２５は一端が回動自在なっており且つ開き方向に付勢され、室内側へ向かう風力との吊り合いにより開度が自動調整されている。
通風部１７の左右壁２２には、その下部に中間層７に連通する下通気孔２９ａ（図４参照）が上下に複数形成されており、上部にも中間層７に連通する上通気孔２９ｂ（図４参照）が上下に複数形成されている。図４に示すように、通風部１７の上下方向の中間部には通気孔はない。また、上通気孔２９ｂは天井裏１５の下部位置に対応して設けている。
図２に示すように、下通気孔２９ａ及び上通気孔２９ｂは、各々スライド板３１により開閉自在になっている。
図３に示すように、通風部１７の上部には、通風部１７の室外側開口を塞ぐ塞ぎ板２８が設けてある。
図２及び図３に示すように、外気取込部材１９は、二重窓部９の室外側に突設した左右の側板３３ａ、３３ｂを有し、左右の側板３３ａ、３３ｂは室外側ほど互いの間隔を狭くしており、横断面略台形形状に形成されている。左右の側板３３ａ、３３ｂには多数の案内羽根３５が突設してあり、左右何れかの一方の側板３３ａ又は３３ｂには隣合う案内羽根３５間に通風孔３７が形成されている。通風孔３７は、図５に示すように、上下の長孔であり、外気取込部材１９の長手方向に複数形成されている。
図１（ｂ）に示すように、左右の隣合う外気取込部材１９、１９は互いに左右の異なる側に通風孔３７が形成されている。
【００１０】
次に、第１実施の形態に係るカーテンウォール１の作用効果について説明する。
図１に示すように、ダブルスキンカーテンウォール１において、左右に隣合う外気取込部材１９は、通風孔３７の向きが左右異なっているから、風が左右の何れから吹いている場合にも、通風孔３７から外気を容易に取込むことができる。
図２に示すように、外気取込部材１９の通風孔３７から取込んだ外気は、開閉扉２１が開いている場合には、通風部１７から室内空間１３に導入することができる。
一方、夏等の外気温度が高い場合には、太陽の光により中間層７が暖められるので、図４に示すように、中間層７内に上昇気流が発生し、下通風孔２９ａ付近では負圧となって通風部１７から外気が導入し、上通風孔２９ｂから外に放出される。しかも、室外の横風を外気取込部材１９から取込むことにより下風通孔２９ａから中間層７への外気の導入を促進する。これにより、室内温度の上昇を抑制できる。
冬場には、図２に示すスライド板３１を操作して下通風孔２９ａ及び上通風孔２９ｂを閉じると共に開閉扉２１を閉じることにより、中間層７が断熱層として作用するので室内の断熱を図ることができる。
【００１１】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図６〜１１を参照して第２実施の形態を説明する。この第２実施の形態に係るカーテンウォール１では、通風部１７は方立でなく、左右一方（本実施の形態では左側）の室外側パネル３と、室内側パネル５と、通風部１７と、外気取込部材１９とを一体にした一つのユニット（図７〜図９に二点鎖線で示す）Ｔとしてあり、このユニットＴを上下左右に連結してカーテンウォール１を構成している。
図７に示すように、通風部１７は、左右壁２２に中間層７に連通する通風孔が形成されており、これらの通風孔２９ｃ、２９ｄ、２９ｅは左右壁１７の下端から上端に亘って間隔をあけて形成されている（図８、図１０、１１参照）。
この第２実施の形態によれば、上述の第１実施の形態と同様な効果を得ることができると共にカーテンウォールはユニットＴを上下左右に連結して施工でき、上述した第１実施の形態に比較して施工が容易にできる。
図１２〜１５を参照して第３実施の形態を説明する。この第３実施の形態に係るカーテンウォール５１は、図１５に示すように、通風部１７において、左右壁２２には中間層７に連通する通気孔を設けていない点が第１実施の形態と異なっている。
また、第３実施の形態では、第２実施の形態と同様に、通風部１７は方立でなく、左右一方（本実施の形態では左側）の室外側パネル３と、室内側パネル５と、通風部１７と、外気取込部材１９とを一体にした一つのユニット（図１５及び図１３に二点鎖線で示す）Ｔとしてあり、このユニットＴを左右に連結してカーテンウォール５１を構成している。
図１３に示すように、第３実施の形態では、室内側パネル５の下端５２は、床５３との間に隙間５３を形成して室内空間１３と二重窓部９の中間層７と連通している。一方、図１４に示すように、中間層７の上部には室内空間１３に連通する室内連通路５５が設けてある。尚、図１４において室内連通路５５に設けているのはフィルタ５７である。
【００１２】
次に、第３実施の形態の作用効果を説明する。図１２（ａ）に示すように、カーテンウォール５１において、左右に隣合う外気取込部材１９は、通風孔３７の向きが左右異なっているから、風が左右の何れから吹いている場合にも、通風孔３７から外気を容易に取込むことができる。
図１５に示すように、外気取込部材１９の通風孔３７から取込んだ外気は、開閉扉２１を開くことにより、通風部１７から室内に導入することができる。
一方、図１３及び図１４に示すように、冬等の外気温度が低い場合には、太陽の光により中間層７が暖められるので、中間層７内に上昇気流が発生し、室内側パネル５の下端５２の隙間５３が負圧となって室内の空気が中間層７に取込まれて、中間層７で外気に暖められ上部の室内連通路５５から室内空間１３に戻される。これにより、室内が暖房されているときに暖房効率を高めることができる。尚、室内換気をしない場合には開閉扉２１は閉じる。
【００１３】
本発明は、上述した実施の形態に限らず、本発明の要旨を逸脱しない範囲で種々変形可能である。
例えば、第１実施の形態において、図１６に示すように、第３実施の形態のように左右の隣合う二重窓部間に竪骨５９で通風部１７を形成し、竪骨５９の室外側に第１実施の形態の外気取込部材１９を取付けるものであっても良い。この場合、竪骨５９にはその左右側壁５９ａ、５９ｂの下部に中間層７に連通する下通気孔２９ａを設け、上部に上通気孔２９ｂを設ける。尚、この図１６に示す変形例では、案内羽根３５は外壁パネル５と略平行としてあるが、第１実施の形態と同様に外壁パネル５に対して角度を形成するものであっても良い。
また、外気取込部材１９には案内羽根３５は設けないで、通風孔３７のみを形成するものであっても良い。
外気取込部材１９は通風部１７と一体に形成した部材としても良い。
上述した第１〜第３実施の形態において、カーテンウォール１、５１の隣合う上下の階に設けた二重窓部９の中間層７を互いに連通させても良い。上下の中間層７、７を連通させることにより外気を中間層７に導入する下通気孔２９ａと中間層７から排気する上通気孔２９ｂとの距離を実質的に長く取れるから、重力換気の効率を高めることができる。
【符号の説明】
【００１４】
１、５１  カーテンウォール（窓構造体）
９        二重窓部（窓部）
１７      通風部
１９      外気取込部材
３７      通風孔
【図１】
0005551807.tif 000002
【図２】
0005551807.tif 000003
【図３】
0005551807.tif 000004
【図４】
0005551807.tif 000005
【図５】
0005551807.tif 000006
【図６】
0005551807.tif 000007
【図７】
0005551807.tif 000008
【図８】
0005551807.tif 000009
【図９】
0005551807.tif 000010
【図１０】
0005551807.tif 000011
【図１１】
0005551807.tif 000012
【図１２】
0005551807.tif 000013
【図１３】
0005551807.tif 000014
【図１４】
0005551807.tif 000015
【図１５】
0005551807.tif 000016
【図１６】
0005551807.tif 000017